(57)【要約】【課題】  本発明の目的は、音声の記録中に操作部材を操作することで、意図せず操作音が記録されてしまう可能性を低減することである。【解決手段】  所定の操作部材の操作感として、前記所定の操作部材への操作に応じて音が発生する第１の操作感と、前記第１の操作感よりも操作に応じて発生する音の小さい第２の操作感とを切替え可能な切替え手段と、前記所定の操作部材を有する装置の動作モードを音声の記録をするモードに切り替える操作があったことに応じて、前記第２の操作感へと切り替えるように促すガイダンスを表示するように制御する表示制御手段とを有することを特徴とする。【選択図】  図３
2018055261.tif 000002
【特許請求の範囲】
【請求項１】
所定の操作部材の操作感として、前記所定の操作部材への操作に応じて音が発生する第１の操作感と、前記第１の操作感よりも操作に応じて発生する音の小さい第２の操作感とを切替え可能な切替え手段と、
前記所定の操作部材を有する装置の動作モードを音声の記録をするモードに切り替える操作があったことに応じて、前記第２の操作感へと切り替えるように促すガイダンスを表示するように制御する表示制御手段とを有することを特徴とする表示制御装置。
【請求項２】
所定の操作部材の操作感として、前記所定の操作部材への操作に応じて音が発生する第１の操作感と、前記第１の操作感よりも操作に応じて発生する音の小さい第２の操作感とを切替え可能な切替え手段と、
前記所定の操作部材を有する装置が音声の記録を開始したことに応じて、前記所定の操作部材に対する操作による音の発生に関するガイダンスを表示するように制御する表示制御手段とを有することを特徴とする表示制御装置。
【請求項３】
所定の操作部材の操作感として、前記所定の操作部材への操作に応じて音が発生する第１の操作感と、前記第１の操作感よりも操作に応じて発生する音の小さい第２の操作感とを切替え可能な切替え手段と、
前記所定の操作部材への操作に応じて設定を変更する機能として、少なくとも音声の記録中に設定を変更可能な第１の機能と、音声の記録中には設定を変更不可能な第２の機能とから機能を選択可能な選択手段と、
前記第１の機能が選択されたことに応じて、前記第２の操作感へと切り替えるように促すガイダンスを表示するように制御する表示制御手段とを有することを特徴とする表示制御装置。
【請求項４】
前記表示制御手段は、前記所定の操作部材を有する装置が音声の記録を開始したことに応じて、前記第２の操作感へと切り替えるように促すガイダンスを表示するように制御することを特徴とする請求項１に記載の表示制御装置。
【請求項５】
前記所定の操作部材への操作に応じて設定を変更する機能として、少なくとも音声の記録中に設定を変更可能な第１の機能と、音声の記録中には設定を変更不可能な第２の機能とから機能を選択可能な選択手段とをさらに有し、
前記表示制御手段は、前記第１の機能が選択されたことに応じて、前記第２の操作感へと切り替えるように促すガイダンスを表示するように制御することを特徴とする請求項１、２、４のいずれか１項に記載の表示制御装置。
【請求項６】
前記装置は、音声を記録する記録手段を有することを特徴とする請求項１乃至５の何れか１項に記載の表示制御装置。
【請求項７】
前記音声の記録とは、画像の記録を伴う動画の記録であることを特徴とする請求項１乃至６のいずれか１項に記載の表示制御装置。
【請求項８】
前記所定の操作部材の操作感が前記第１の操作感に設定されると、所定量の回転操作がされる毎に、発音を伴う操作感が発生することを特徴とする請求項１乃至７のいずれか１項に記載の表示制御装置。
【請求項９】
前記所定の操作部材への操作に応じて設定値を変更する機能を切り替える機能切替手段をさらに有し、
前記表示制御手段は、前記所定の操作部材に、音声の記録中には設定を変更不可能な機能が割り当てられている場合には前記ガイダンスを表示せず、前記所定の操作部材に、音声の記録中に設定を変更可能な機能が割り当てられている場合には前記ガイダンスを表示するように制御することを特徴とする請求項１または２に記載の表示制御装置。
【請求項１０】
撮像手段をさらに有し、
前記音声の記録は前記撮像手段による画像の記録を伴う動画の記録であり、
前記表示制御手段は、前記切替手段により前記所定の操作部材にズーム機能またはピント調整機能のいずれかが割り当てられている場合に、前記ガイダンスを表示するように制御することを特徴とする請求項９に記載の表示制御装置。
【請求項１１】
前記表示制御手段は、前記表示制御装置の電源が入り、前記ガイダンスが表示された後は、前記所定の操作部材を有する装置が音声の記録をするモードに切り替える操作があっても前記ガイダンスを表示しないように制御することを特徴とする請求項１または４に記載の表示制御装置。
【請求項１２】
前記表示制御手段は、前記所定の操作部材の操作感が前記第１の操作感に設定されている時に前記ガイダンスを表示し、前記第２の操作感に設定されている時には前記ガイダンスを表示しないように制御することを特徴とする請求項１乃至１１のいずれか１項に記載の表示制御装置。
【請求項１３】
前記所定の操作部材は、回転部材であることを特徴とする請求項１乃至１２のいずれか１項に記載の表示制御装置。
【請求項１４】
前記所定の操作部材は、レンズ周りに設けられる回転部材であることを特徴とする請求項１３に記載の表示制御装置。
【請求項１５】
所定の操作部材の操作感として、前記所定の操作部材への操作に応じて音が発生する第１の操作感と、前記第１の操作感よりも操作に応じて発生する音の小さい第２の操作感とを切替え可能な切替えステップと、
前記所定の操作部材を有する装置の動作モードを音声の記録をするモードに切り替える操作があったことに応じて、前記第２の操作感へと切り替えるように促すガイダンスを表示するように制御する表示制御ステップとを有することを特徴とする表示制御装置の制御方法。
【請求項１６】
所定の操作部材の操作感として、前記所定の操作部材への操作に応じて音が発生する第１の操作感と、前記第１の操作感よりも操作に応じて発生する音の小さい第２の操作感とを切替え可能な切替えステップと、
前記所定の操作部材を有する装置が音声の記録を開始したことに応じて、前記所定の操作部材に対する操作による音の発生に注意することを示したガイダンスを表示するように制御する表示制御ステップとを有することを特徴とする表示制御装置の制御方法。
【請求項１７】
所定の操作部材の操作感として、前記所定の操作部材への操作に応じて音が発生する第１の操作感と、前記第１の操作感よりも操作に応じて発生する音の小さい第２の操作感とを切替え可能な切替えステップと、
前記所定の操作部材への操作に応じて設定を変更する機能として、少なくとも音声の記録中に設定を変更可能な第１の機能と、音声の記録中には設定を変更不可能な第２の機能とから機能を選択可能な選択ステップと、
前記第１の機能が選択されたことに応じて、前記第２の操作感へと切り替えるように促すガイダンスを表示するように制御する表示制御ステップとを有することを特徴とする表示制御装置の制御方法。
【請求項１８】
コンピュータを、請求項１乃至１４のいずれか１項に記載された表示制御装置の各手段として機能させるためのプログラム。
【請求項１９】
コンピュータを、請求項１乃至１４のいずれか１項に記載された表示制御装置の各手段として機能させるためのプログラムを格納したコンピュータが読み取り可能な記録媒体。
【発明の詳細な説明】
【技術分野】
【０００１】
本発明は、表示制御装置およびその制御方法に関し、特に操作部材の操作感を切替えることを促すガイドを表示する技術に関する。
【背景技術】
【０００２】
操作部材には、操作感のある操作部材と操作感のより少ない操作部材とがある。操作感のある操作部材では、所定量操作する毎に操作音があったり、感触をユーザに返すことで、ユーザは所定量操作したことを認識することができる。一方で、操作感のない操作部材では、操作音や感触を少なくして円滑な操作感をユーザに与えることができる。特許文献１にはクリック感のある回転部材と、クリック感のない回転部材とがあり、動画モードではいずれの回転部材にも機能を割当てないことが記載されている。
【先行技術文献】
【特許文献】
【０００３】
【特許文献１】特開２０１５−１２６４１８号公報
【発明の概要】
【発明が解決しようとする課題】
【０００４】
操作部材の操作感の大きさを、ユーザの趣向により切り替えることができるとユーザはより好みの操作感での操作ができるようになる。しかしながら、ユーザが操作音のより大きな操作感に切り替えたままで動画の記録をしてしまうと、動画の撮影中にはその操作音も録音されてしまう可能性がある。そこで特許文献１のように、動画モード中は操作部材に機能を割当てないようにしてしまうと、動画モード中に行える操作が少なくなってしまう。
【０００５】
本発明は、上記の課題に鑑み、音声の記録中に操作部材を操作することで、意図せず操作音が記録されてしまう可能性を低減することを目的とする。
【課題を解決するための手段】
【０００６】
上記目的を達成するために、本発明の表示制御装置は、所定の操作部材の操作感として、前記所定の操作部材への操作に応じて音が発生する第１の操作感と、前記第１の操作感よりも操作に応じて発生する音の小さい第２の操作感とを切替え可能な切替え手段と、前記所定の操作部材を有する装置の動作モードを音声の記録をするモードに切り替える操作があったことに応じて、前記第２の操作感へと切り替えるように促すガイダンスを表示するように制御する表示制御手段とを有することを特徴とする。
【発明の効果】
【０００７】
本発明によれば、音声の記録中に操作部材を操作することで、意図せず操作音が記録されてしまう可能性を低減することができる。
【図面の簡単な説明】
【０００８】
【図１】本実施形態の構成を適用可能な装置の一例としてのデジタルカメラの外観図
【図２】本実施形態の構成を適用可能な装置の一例としてのデジタルカメラの構成例を示すブロック図
【図３】回転部材に関する設定処理を示すフローチャート
【図４】本実施形態における表示例を示す図
【発明を実施するための形態】
【０００９】
以下、図面を参照して本発明の好適な実施形態を説明する。
【００１０】
図１は本実施形態の表示制御装置の一例としてのデジタルカメラ１００の外観図であり、図１（ａ）は背面（表示部側）から見た図、図１（ｂ）は正面（レンズ側）から見た図を示している。
【００１１】
図１において、表示部２８は画像や各種情報を表示する表示部である。シャッターボタン６１は撮影指示を行うための（押下されると第１段階で撮影指示を受付け、第２段階で撮影を実行する）操作部である。モード切替スイッチ６０は各種モードを切り替えるための操作部である。操作部７０はユーザからの各種操作を受け付ける各種スイッチ、ボタン、タッチパネル、回転部材等の操作部材より成る操作部である。コントローラホイール７３は操作部７０に含まれる回転操作可能な操作部材である。電源スイッチ７２は、電源オン、電源オフを切り替えるための押しボタンである。図１（ｂ）に示すリング７８はレンズ部８０の周囲（レンズ周りに沿っている）にある回転部材であり、光学的なズームの操作をする時のような操作感で操作を行うことのできる操作部材である。リング７８は、デジタルカメラ１００の右手親指でシャッターボタン６１をおさえ、左手でレンズ部８０を保持した状態でも回転できるので、操作をするために構えた状態からユーザが体勢を変える必要がない。また、リング７８の横に配設される切替部材７９は、リング７８の操作感をクリックまたはスムーズに切り替えるための部材である。操作感がクリックに切り替えられた場合には、リング７８を所定量回転する毎にリング７８内の部材同士が当たり、クリック感（感触）と音を出すようにする。操作感がスムーズに切り替えられた場合には、リング７８を回転したときのクリック感を小さくし、さらに操作に応じた音も小さくなるようにする。切替部材７９は、リング７８の回転方向に沿ってつまみを動かすことで、リング７８の操作感を切り替え可能である。切替部材７９を回転すると、物理的にリング７８の回転に応じてクリック感がでる、またはでないように部材を配置する。リング７８は、回転に応じてパルス信号を発生するダイヤル操作部材であってもよいし、回転に応じて、回転された角度や回転数を検出できるものであればよい。
【００１２】
記録媒体２００はメモリカードやハードディスク等の不揮発性の記録媒体である。記録媒体スロット２０１は記録媒体２００を格納するためのスロットである。記録媒体スロット２０１に格納された記録媒体２００は、デジタルカメラ１００との通信が可能となり記録や再生が可能となる。蓋２０２は記録媒体スロット２０１の蓋である。図においては、蓋２０２を開けてスロット２０１から記録媒体２００の一部を取り出して露出させた状態を示している。
【００１３】
マイク７７はレンズ部８０及びリング７８の近くのデジタルカメラ１００の上面に配置されている。マイク７７は動画の記録が開始されたのと同時に音声の記録を開始し、記録媒体２００には動画像と共に音声が記録される。スピーカー７５は、記録された音声を再生、発音する。
【００１４】
図２は、本実施形態の表示制御装置の一例としてのデジタルカメラ１００の構成例を示すブロック図である。
【００１５】
図２において、撮影レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、撮像部２２から出力されるアナログ信号をデジタル信号に変換するために用いられる。バリア１０２は、デジタルカメラ１００の、撮影レンズ１０３を含む撮像系を覆うことにより、撮影レンズ１０３、シャッター１０１、撮像部２２を含む撮像系の汚れや破損を防止する。
【００１６】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１７】
Ａ／Ｄ変換器２３からの出力データは、画像処理部２４及びメモリ制御部１５を介して、或いは、画像処理部２４を介さずメモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１８】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示（ライブビュー表示）を行える。
【００１９】
不揮発性メモリ５６は、システム制御部５０によって電気的に消去・記録・読出し可能な記録媒体としてのメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのコンピュータプログラムのことである。
【００２０】
システム制御部５０は、少なくとも１つのプロセッサーを内蔵し、デジタルカメラ１００全体を制御する。前述した不揮発性メモリ５６に記録されたプログラムを実行することで、後述する本実施形態の各処理を実現する。システムメモリ５２には、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。
【００２１】
システムタイマー５３は各種制御に用いる時間や、内蔵された時計の時間を計測する計時部である。
【００２２】
モード切替スイッチ６０、シャッターボタン６１、操作部７０はシステム制御部５０に各種の動作指示を入力するための操作手段である。
【００２３】
モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。モード切替スイッチ６０で、メニュー画面に含まれるこれらのモードのいずれかに直接切り替えられる。あるいは、モード切替スイッチ６０でメニュー画面に一旦切り換えた後に、メニュー画面に含まれるこれらのモードのいずれかに、他の操作部材を用いて切り替えるようにしてもよい。同様に、動画撮影モードにも複数のモードが含まれていてもよい。
【００２４】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２５】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２による静止画撮像動作、撮像部２２からの信号読み出しから記録媒体２００に画像データを書き込むまでの一連の撮影処理の動作を開始する。
【００２６】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００２７】
コントローラホイール７３は、操作部７０に含まれる回転操作可能な操作部材であり、方向ボタンと共に選択項目を指示する際などに使用される。
【００２８】
電源制御部７４は、電池検出回路、ＤＣ−ＤＣコンバータ、通電するブロックを切り替えるスイッチ回路等により構成され、電池の装着の有無、電池の種類、電池残量の検出を行う。また、電源制御部７４は、その検出結果及びシステム制御部５０の指示に基づいてＤＣ−ＤＣコンバータを制御し、必要な電圧を必要な期間、記録媒体２００を含む各部へ供給する。
【００２９】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影時に画像を記録するためのメモリカード等の不揮発性の記録媒体であり、半導体メモリや光ディスク、磁気ディスク等から構成される。
【００３０】
次に図３を用いて、本実施形態における回転部材に関する処理について説明する。この処理は、不揮発性メモリ５６に記録されたプログラムをシステムメモリ５２に展開してシステム制御部５０が実行することで実現する。なお、この処理は、デジタルカメラ１００に電源が入り、リング７８への操作が可能になると開始する。
【００３１】
Ｓ３０１では、システム制御部５０は、リング７８の回転に応じて設定値を変更する機能を変更するか否かを判定する。すなわち、ユーザはメニュー画面においてリング７８に割り当てる機能を設定可能（選択可能）であり、リング７８を回転すると設定された機能に関する設定値が変更される。リングに割り当てる機能を変更する操作（機能切替）がされたと判定された場合は、Ｓ３０２へ進み、そうでない場合は、Ｓ３０５へ進む。
【００３２】
Ｓ３０２では、システム制御部５０は、Ｓ３０１において変更された機能が動画モード中に設定を変更可能な設定項目の機能であるか否かを判定する。図４は本実施形態における表示部２８の表示例であり、図４（ａ）は、リング７８に機能を割り当てる設定画面４０１を示しており、設定画面４０１に表示されるアイコン４０２〜４１０の各アイコンに対応する機能を割当てることができる。アイコン４０２は、標準機能であり、設定中の撮影モードに応じた機能がリング７８に割り当てられる。例えば、ＴｖモードであればＴｖ値、ＡｖモードであればＡｖ値、ＰモードであればＩＳＯ感度をリング７８の回転で設定値を変更可能になる。アイコン４０３はＩＳＯ感度、アイコン４０４はＭＦ（ピント合わせ、ピント調整機能）、アイコン４０５はＷＢ（色合い補正）、アイコン４０６は段階ズーム（段階的に焦点距離を変更）を示している。さらに、アイコン４０７はスムースズーム（段階ズームより細かく焦点距離を変更）、アイコン４０８は自動明るさ補正（明るさ・コントラストを補正する）の効果の強さ、アイコン４０９は画像の縦横比率（アスペクト比）を示している。さらに、アイコン４１０はＭ、Ａｖ、Ｔｖ、Ｐモードのそれぞれに割り当てられ、カスタマイズされた機能をモードに応じて割り当てるという設定になる。このうち、動画中に設定を変更可能な設定項目の機能に対応するアイコンは、ピント合わせの機能を示すアイコン４０４、ズーム機能を示すアイコン４０７である。なお、段階ズームを示すアイコン４０６も動画モード中に設定を変更可能な設定項目の機能としてもよい。設定画面４０１においては、アイコン４０７のスムースズームが選択されているので、Ｓ４０２の判定はＹｅｓとなる。変更された機能が動画モード中に設定を変更可能な設定項目の機能であると判定された場合には、Ｓ３０３へ進み、そうでない場合は（動画モード中に設定を変更不可能な設定項目の機能が割り当てられていれば）、Ｓ３０５へ進む。Ｓ３０２において動画モード中に設定を変更可能な設定項目の機能がリング７８に割り当てられていると判断され、さらにＳ３０３でクリック感のある操作感に設定されていると判定されると、Ｓ３０４へ進む。
【００３３】
Ｓ３０３では、システム制御部５０は、現在のリング７８の操作感がクリックか否かを判定する。リング７８の操作感は、切替部材７９またはリング７８で取得することができる。リング７８の操作感がクリックであると判定した場合には、Ｓ３０４へ進み、そうでない場合は、Ｓ３０５へ進む。なお、Ｓ３０３の判定を行わずにＳ３０２においてＹｅｓと判定されたらＳ３０４に進み、警告ガイダンスを表示するようにしてもよい。つまり、設定されている操作感に関わらず、動画モード中に設定を変更可能な設定項目の機能が割当たっている場合には、操作音に注意すべき旨を示すガイドや、動画の撮影時には操作感をスムーズリングに切り替えた方がよいことを示すガイドを表示してもよい。
【００３４】
Ｓ３０４では、システム制御部５０は、図４（ａ）のガイダンス４１１のように表示部２８にスムーズリングへの切り替えを促すガイダンスを表示する。動画モードで設定を変更可能な設定項目の可能性のある機能であっても、ユーザが静止画を撮影し、動画は設定しないような撮影モードに設定している場合にはガイダンスは表示しなくてもよい。ガイダンス４１１は、４秒や３秒といった所定時間表示してもよいし、その機能を示すアイコンにカーソルが当たっている間はずっと表示していてもよい。
【００３５】
Ｓ３０５では、システム制御部５０は、回転部材に関する処理を終了する操作がされたか否かを判定する。回転部材に関する処理は電源をＯＦＦにする操作がされる、もしくは電源の残量が無くなっても終了する。回転部材に関する処理を終了する操作がされたと判定した場合には、処理を終了し、そうでない場合には、Ｓ３０６へ進む。
【００３６】
Ｓ３０６では、システム制御部５０は、リング７８が操作されたか否かを判定する。リング７８が操作されたと判定された場合には、Ｓ３０７へ進み、そうでない場合は、Ｓ３０８へ進む。
【００３７】
Ｓ３０７では、システム制御部５０は、現在リング７８に割り当てられている機能の設定値をリング７８の回転方向、回転量に応じて変更する。例えば、ユーザからみて右回転であれば設定値を増加方向へ、左回転であれば設定値を減少方向へ変更する。ただし、動画モード中に設定を変更不可能な項目がリング７８の機能をして割り当てられており、現在動画モード中である場合には、Ｓ３０７における設定値の変更は行われない。
【００３８】
Ｓ３０８では、システム制御部５０は、現在の撮影モードが動画モードであるか否かを判定する。動画モードであると判定した場合は、Ｓ３０９へ進み、そうでない場合は、Ｓ３１０へ進む。
【００３９】
Ｓ３０９では、システム制御部５０は、動画の記録が開始されたか否かを判定する。動画の記録は、シャッターボタン６１の押下により開始する。もしくは動画ボタン（不図示）の押下に応じて開始してもよいし、タッチパネル７０ａ上の撮影開始アイコンへのタッチで開始をしてもよい。動画の記録が開始されたと判定した場合は、Ｓ３１２へ進み、そうでない場合は、Ｓ３０１へ戻る。
【００４０】
Ｓ３１０では、システム制御部５０は、静止画モードから動画モードへ撮影モードが切替えられたか否かを判定する。動画モードへの切替えはモード切替スイッチ６０により行う。動画モードへと切り替えられたと判定した場合は、Ｓ３１１へ進み、そうでない場合は、Ｓ３０５へ進む。
【００４１】
Ｓ３１１では、システム制御部５０は、図４（ｂ）のガイダンス４１２のように表示部２８にガイダンスを表示する。図４（ｂ）はライブビュー画面４１３を示しており、ガイダンス４１２は操作感をスムーズに切り替えるように促すガイダンスである。ガイダンス４１２は、４秒や３秒といった所定時間表示をしてもよいし、ユーザが操作感を切り替えるまで表示をしてもよいし、所定時間表示する場合に所定時間内であってもガイダンス４１２へのタッチ操作やその他のボタン操作によって非表示にしてもよい。なお、Ｓ３１１におけるガイダンスの表示前にＳ３０２及びＳ３０３の判定を行って共にＹｅｓと判定された場合に、あるいはいずれか一方がＹｅｓと判定された場合にガイダンスを表示してもよい。Ｙｅｓと判定されなかった場合には、Ｓ３０５に進むようにしてもよい。
【００４２】
Ｓ３１２では、システム制御部５０は、現在のリング７８の操作感がクリックか、スムーズかを判定する。クリックであると判定した場合は、Ｓ３１３へ進み、そうでない場合は、Ｓ３１４へ進む。なお、Ｓ３１２の処理の後に、Ｓ３０２で判定したような動画モード中に設定を変更可能な設定項目の機能がリング７８に割当たっているか否かを判定するようにしてもよい。動画モード中に設定を変更可能な設定項目の機能がリング７８に割当たっている場合にはＳ３１３の処理に進み、そうでない場合には、Ｓ３１４に進むようにしてもよい。
【００４３】
Ｓ３１３では、システム制御部５０は、図４（ｃ）のガイダンス４１６のように表示部２８にガイダンスを表示する。図４（ｃ）はライブビュー画面４１４であり、アイコン４１５は動画記録中であることを示すアイコンを示している。ガイダンス４１６は動画の記録中なのでリング７８を回転した時の操作音に注意をするように示すガイダンスである。記録が開始されたので、リング７８の操作感をスムーズに切替えることを促すガイダンスを表示してもよいし、既に記録を開始してしまったので、ユーザがリング７８の操作時に気をつけるようなガイダンスにする。このように、ガイダンスを表示することにより、リング７８の操作をする際にユーザは操作音が入ってしまってもよいタイミングか、リング７８以外の操作部材を使用した方がよいか検討することができる。なお、Ｓ３１３におけるガイダンスの表示前にＳ３０２の判定を行って共にＹｅｓと判定された場合にガイダンスを表示してもよい。Ｙｅｓと判定されなかった場合には、Ｓ３１４に進むようにしてもよい。
【００４４】
Ｓ３１４では、システム制御部５０は、動画の記録処理、すなわち撮像部２２により得られた画像を記録媒体２００に動画として記録する。
【００４５】
Ｓ３１５では、システム制御部５０は、動画の記録を停止する操作がされたか否かを判定する。動画の記録を停止する操作は、シャッターボタン６１の押下により行われる。もしくは動画ボタン（不図示）の押下に応じて停止してもよいし、タッチパネル７０ａ上の撮影停止アイコンへのタッチで停止をしてもよい。動画の記録が停止されたと判定した場合は、Ｓ３１６へ進み、そうでない場合は、Ｓ３０１へ戻る。
【００４６】
Ｓ３１６では、システム制御部５０は、記録の終了処理をする。記録の終了処理では、撮影動画ファイルの属性情報、フレーム間情報、サムネイルの作成、圧縮処理等を行い作成した動画ファイルを再生できるような処理を行う。これらの情報は記録媒体２００に動画ファイルと共に保存される。
【００４７】
以上説明した実施形態によれば、動画の記録中に、操作感のより大きな状態で操作部材が操作されてしまい、意図せず動画と共に操作音が録音されてしまう可能性を低減することができる。操作感をクリックとスムーズで切替え可能な操作部材の操作感が操作音のより大きなクリックのままであるとガイダンスを表示するので、ユーザは操作音のより小さな操作感に切り替え、動画と共に操作音が記録されないようにすることができる。
【００４８】
なお、リング８７のクリックと同様に操作音のする操作部材であっても、操作感を切り替えることのできない部材であれば、ガイダンスを表示するようなことはしない。
【００４９】
なお、撮影モードを動画モードに切り換えた時や、リング７８の割り当てを変更した時など毎回ガイダンスが表示されると、ユーザにとって煩わしいと感じる可能性がある。そこでガイダンスを表示する頻度を減らすために、電源起動中は、動画モードへの切替時、リング７８への機能割り当て変更時、動画記録開始時のそれぞれの最初のタイミングだけガイダンスを表示してもよい。もしくは、電源起動している間、動画モードへの切替時、リング７８への機能割り当て変更時、動画記録開始時のうち最初のタイミングでのみガイダンスを表示してもよい。また、リング７８へ割り当てられる機能のうち、動画を記録している最中には使用しない機能が割り当てられている場合には、各タイミングにおいて警告ガイダンスを表示しなくてもよい。
【００５０】
なお、上述の実施形態では動画の記録モードに切り替わった時や、動画の記録が開始された時、動画記録中に設定を変更可能な設定項目の機能がリング７８に割当たった時にガイダンスを表示するものとして説明をした。しかし、動画でなくても音声記録をするようなモード、音声記録に伴う記録が開始された時、音声記録中に設定を変更可能な設定項目の機能が操作部材に割り当てられた時にガイダンスを表示するようにしてもよい。
【００５１】
また、操作感がスムーズになっている場合には、リング７８への機能割り当て変更時、動画記録開始時にもガイダンスを表示しなくてもよい。
【００５２】
なお、システム制御部５０が行うものとして説明した上述の各種の制御は１つのハードウェアが行ってもよいし、複数のハードウェアが処理を分担することで、装置全体の制御を行ってもよい。
【００５３】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００５４】
また、上述した実施形態においては、本発明をデジタルカメラ１００に適用した場合を例にして説明したが、これはこの例に限定されず、操作感を切り替え可能な装置を制御可能な表示制御装置であれば適用可能である。即ち、本発明はパーソナルコンピュータ（ＰＣ）や、携帯電話端末や携帯型の画像ビューワ、デジタルフォトフレーム、音楽プレーヤー、ゲーム機、電子ブックリーダー、タブレットＰＣ、スマートフォン、投影装置、家電装置、ＩＣレコーダ等に適用可能である。また、操作感を切り替え可能なデジタルカメラ等での撮影を有線または無線通信を介して制御可能なスマートフォンやタブレットＰＣ、デスクトップＰＣなどの装置にも適用可能である。
【００５５】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
2018055261.tif 000003
【図２】
2018055261.tif 000004
【図３】
2018055261.tif 000005
【図４】
2018055261.tif 000006